(57)【要約】【課題】細塵室に貯留された細塵が電動送風機の作動時に巻き上げられて細塵フィルタに再度付着するようなことを防止できる電気掃除機を提供すること。【解決手段】集塵容器３７及び集塵容器３７に吸込負圧を作用させる電動送風機１７が設けられた掃除機本１体と、集塵容器３７の上流側に配設されて塵埃を捕集するネットフィルタ４３，１０４と、集塵容器３７の下流側に配設されてネットフィルタ４３，１０４を透過した細塵を捕捉させるプリーツフィルタ４８と、プリーツフィルタ４８に付着した塵埃を落とす振動付与手段４９と、上方に開口してプリーツフィルタ４８から落とされる細塵を貯留する細塵捕集溝４０ｂと、細塵捕集溝４０ｂの上部開口端を開閉する開閉部材１０８，１０９を備えている。しかも、この電気掃除機には、振動付与手段４９を作動させるときには開閉部材１０８，１０９を開いて細塵捕集溝４０ｂの上部開口端を開放し、且つ、電動送風機１７が作動するときには開閉部材１０８，１０９を閉じて細塵捕集溝４０ｂの上部開口端を閉成させる開閉部材開閉手段１９０が設けられている。【選択図】  図２
2006006383.tif 000002
【特許請求の範囲】
【請求項１】
集塵部及び該集塵部に吸込負圧を作用させる電動送風機が設けられた掃除機本体と、前記集塵部の上流側に配設されて塵埃を捕集するメインフィルタと、前記集塵部の下流側に配設されて前記メインフィルタを透過した細塵を捕捉させる細塵フィルタと、前記細塵フィルタに付着した塵埃を落とす塵埃落とし手段と、上方に開口して前記細塵フィルタから落とされる細塵を貯留する細塵室を備える電気掃除機であって、
前記細塵室の上部開口端を開閉する開閉部材を備えると共に、前記塵落とし手段を作動させるときには前記開閉部材を開いて前記細塵室の上部開口端を開放し、且つ、前記電動送風機が作動するときには前記開閉部材を閉じて前記細塵室の上部開口端を閉成させる開閉部材開閉手段が設けられていることを特徴とする電気掃除機。
【請求項２】
請求項１に記載の電気掃除機において、電源コードが捲回されたコードリールの回転に前記塵落とし手段を連動させて作動させる動力伝達手段が設けられ、前記開閉部材を前記細塵室の開位置と閉位置に停止させるストッパがそれぞれ設けられていると共に、前記開閉部材開閉手段は前記コードリールの回転に連動し且つ前記開閉部材がストッパに当接した後に当接方向へ所定値以上の力が作用したときにスリップするクラッチ機構を有することを特徴とする電気掃除機。
【発明の詳細な説明】
【技術分野】
【０００１】
この発明は、細塵フィルタに付着した細塵を強制的に落とすようにした電気掃除機に関するものである。
【背景技術】
【０００２】
従来の電気掃除機には、集塵部及び該集塵部に吸込負圧を作用させる電動送風機が設けられた掃除機本体と、前記集塵部の上流側に配設されて塵埃を捕集するメインフィルタと、前記集塵部の下流側に配設されて前記メインフィルタを透過した細塵を捕捉させる細塵フィルタと、前記細塵フィルタに付着した塵埃を落とす塵埃落とし手段と、上方に開口して前記細塵フィルタから落とされる細塵を貯留する細塵室を備えるものが知られている（例えば、特許文献１参照）。
【特許文献１】特許第３４９００８１号公報
【発明の開示】
【発明が解決しようとする課題】
【０００３】
しかしながら、細塵室の上端はメインフィルタと細塵フィルタとの間の負圧室に常時開放しているため、細塵室に貯留された細塵が電動送風機の作動時に巻き上げられて細塵フィルタに再度付着すると言う問題があった。
【０００４】
そこで、この発明は、細塵室に貯留された細塵が電動送風機の作動時に巻き上げられて細塵フィルタに再度付着するようなことを防止できる電気掃除機を提供することを目的とするものである。
【課題を解決するための手段】
【０００５】
この目的を達成するため、請求項１の発明は、集塵部及び該集塵部に吸込負圧を作用させる電動送風機が設けられた掃除機本体と、前記集塵部の上流側に配設されて塵埃を捕集するメインフィルタと、前記集塵部の下流側に配設されて前記メインフィルタを透過した細塵を捕捉させる細塵フィルタと、前記細塵フィルタに付着した塵埃を落とす塵埃落とし手段と、上方に開口して前記細塵フィルタから落とされる細塵を貯留する細塵室と、前記細塵室の上部開口端を開閉する開閉部材を備える電気掃除機であって、前記塵落とし手段を作動させるときには前記開閉部材を開いて前記細塵室の上部開口端を開放し、且つ、前記電動送風機が作動するときには前記開閉部材を閉じて前記細塵室の上部開口端を閉成させる開閉部材開閉手段が設けられていることを特徴とする。
【発明の効果】
【０００６】
この構成によれば、開閉部材開閉手段は電動送風機が作動するときには前記開閉部材を閉じて前記細塵室の上部開口端を閉成させるようになっているので、細塵室に貯留された細塵が電動送風機の作動時に巻き上げられて細塵フィルタに再度付着するようなことを防止できる。
【発明を実施するための最良の形態】
【０００７】
以下、この発明の実施の形態を図面に基づいて説明する。
[構成]
図１（ａ），図２において、１は電気掃除機の掃除機本体である。この掃除機本体１は、図２に示したように下ケース２と、下ケース２の上に取り付けられた中ケース３と、中ケース３の後部を覆うように下ケース２及び中ケース３上に取り付けられた上ケース４と、中ケース３の前端部に上下回動可能に取り付けられたカバー５を有する。
【０００８】
また、図１（ａ）において、６はカバー５の前端部に設けられた接続パイプ部、７は一端部が接続パイプ部６に接続された可撓性で蛇腹状の集塵ホース、８は集塵ホース７の他端部に取り付けられた手元操作パイプである。この手元操作パイプ８には、延長パイプ９を介して吸込口体１０が接続されている。８ａは手元操作パイプ８に設けられた操作パネルである。
【０００９】
更に、下ケース２と上ケース４との間は、図２に示したように中ケース３の仕切壁部３ａにより上部の送風機室１１と下部のコードリール室１２とに区画されている。この送風機室１１の前端は、前側に開放していると共に、この開放端に取り付けられた端壁（前壁）である格子板（隔壁）１３により閉成されている。しかも、送風機室１１は、図１に示したように上ケース４の側壁４ａに形成した多数の排気孔１４を介して大気と連通している。
【００１０】
この格子板１３の上部には、図２に示したように送風機室１１内に突出するファン支持用の筒部１５が設けられていると共に、筒部１５に連通する格子部１６が設けられている（図９〜図１１参照）。この筒部１５の両側部には図１１に示したように上下に延びる平坦なガイド側壁１５ａ，１５ａが設けられていて、筒部１５は小判形状に形成されている。１６ａは格子部１６に設けられた連通風路（吸込風路）である。また、格子板１３の下部には、後方に突出する小径の筒部１３ａが一体に形成されていると共に、筒部１３ａに同心に開口する軸挿通孔１３ｂが形成されている。
【００１１】
そして、送風機室１１内には図２に示したように電動送風機１７が配設されている。この電動送風機１７は、前側の遠心ファン部１８と、遠心ファン部１８を駆動するモータ部１９を有する。１８ａは遠心ファン部１８のエア吸込口、１９ａはモータ部１９の排気口である。この遠心ファン部１８は環状の弾性部材（緩衝部材）２０を介して中ケース３内に支持され、弾性部材２０は筒部１５の端面に当接支持させられている。これにより遠心ファン部１８は、エア吸込口１８ａが筒部１５内に開口して、格子部１６との間に吸込風路としての負圧室２１を形成している。
【００１２】
また、図２に示したように、コードリール室１２内には支持軸２２が上下に向けて配設され、支持軸２２の上端部には図示しないターミナルリング用の取付板２３及びそのカバー２４が固定されている（図１３参照）。この取付板２３及びカバー２４は図２の仕切壁１１ａに取り付けられて、支持軸２２の上端部を仕切壁１１ａに保持している。また、支持軸２２の下端部は下ケース２の底壁２ａに取り付けられている。
【００１３】
この支持軸２２には、図１０〜図１３に示したようなコードリール２５が図２の如く水平回転自在に取り付けられている。このコードリール２５は、図示を省略した渦巻バネ等の回転付勢手段で一方向（コード巻取方向）に回転付勢されている。
【００１４】
このコードリール２５は、コード巻き取り用のドラム部２６と、ドラム２６の両端部（上下端部）に設けられた上フランジ２７及び下フランジ２８を有する。この上フランジ２７の上面の周縁部には周方向に多数の歯を環状に配列した大径の駆動ギヤ２９が設けられている。このコードリール２５には、電動送風機１７に駆動電力を供給する電源コード３０が上述した回転付勢手段の回転付勢力により巻き取り捲回されている。この電源コード３０は図１（ｂ）に示したように下ケース２の後部に設けられたコード引出口２ｂから外部に引き出し可能に設けられている。
【００１５】
また、取付板２３には、図１１に示したようなブレーキ装置３１が取り付けられている。このブレーキ装置３１は、取付板２３の支持軸２３ａに水平回動可能に保持されたブレーキアーム３２と、このブレーキアーム３２の自由端部に取り付けられた図示しないブレーキローラ（図示せず）と、ブレーキアーム３２を回動付勢してブレーキローラを上フランジ２７の周面に圧接させるスプリングを有する。
【００１６】
このブレーキ装置３１では、通常、ブレーキアーム３２を回動付勢しているスプリングのバネ力とコードリール２５を回転付勢している回転付勢手段のバネ力とにより、ブレーキローラがブレーキアーム３２と上フランジ２７との間に楔状に食い込むことで、コードリール２５の回転がロックされるようになっている。そして、このブレーキ装置３１では、下ケース２から後方に引き出し可能に設けられた電源コード３０を引いて、コードリール２５をその回動付勢手段のバネ力に抗して回転させることにより、ブレーキローラがコードリール２５の回転方向に僅かに移動させられて、ブレーキローラがブレーキアーム３２と上フランジ２７との間に楔状に食い込んだ状態が解除されることにより、ブレーキローラの上フランジ２７への圧接状態が解除される様になっている。尚、電源コード３０から引き出し力を解除すると、コードリール２５が回転付勢手段により電源コード３０を巻き取る方向に僅かに回転して、ブレーキローラがブレーキアーム３２と上フランジ２７との間に楔状に食い込んでロックし、コードリール２５の回転を停止させ、電源コード３０を引き出した状態にするようになっている。このブレーキ装置３１の構成としては周知のもの例えば特開平６−４６９７４号公報に開示された様なものが採用できる。
【００１７】
更に、掃除機本体１には、上ケース４の前端部に所定範囲内で上下動自在に装着されて、上ケース４の上面から上方に所定量だけ引き出し自在なハンドル３３が設けられている。このハンドル３３は、上部の円弧状の握り部３４と、握り部３４の両端部に下方に向けて一体に連設したガイド部３５，３５（図９〜図１２参照）から逆Ｕ字状に形成されている。尚、このガイド部３５，３５は、格子壁１３の筒部１５に設けたガイド側壁１５ａ，１５ａの両側に配設されて、上下動可能に設けられている。
【００１８】
そして、一方のガイド部３５の下端部には、前側上方に向けて傾斜する傾斜カム面３５ａが形成されている。この傾斜カム面３５ａは、ブレーキアーム３２に上方から係合していて、ハンドル３３を下方に押し下げたときに、ブレーキアーム３２を支持軸２３ａを中心にスプリング（図示せず）のバネ力に抗して格子壁１３側に回動させて、図示しないブレーキローラを上フランジ２７から離反させ、コードリール２５のロック状態を解除するようになっている。これにより、コードリール２５は、回動付勢手段により電源コード３０を巻き取る方向に回転させられるようになっている。
【００１９】
更に、図２において、中ケース３は前側への延設部３ｂを有する。この前側への延設部３ｂには凹部３６が形成されている（図１（ｂ）参照）。この凹部３６には図２に示したように集塵部としての集塵容器３７が嵌合載置されている。この集塵容器３７は、中ケース３の前端部に上下回動可能に取り付けられたカバー５により押さえ付けることができるようになっている。そして、集塵容器３７は、このカバー５を上方に開くことにより、凹部３６から取り出すことができるようになっている。この構造には、周知の構成を採用できる。
【００２０】
また、延設部３ｂは、仕切壁部３ａの前端に下方に向けて一体に形成された縦壁３ｂ１を有する。この縦壁３ｂ１は上下方向の中間部に前側に位置する段差３ｂ２を有し、この段差３ｂ２上には上ケース４の前壁である格子板１３が当接している。この縦壁３ｂ１の上部と格子板１３の下部との間には空間Ｓが形成されている。
【００２１】
集塵容器３７はケース本体３８を有する。このケース本体３８の下部には下方に開放する集塵室３８ａが設けられ、ケース本体３８の上部には負圧室３８ｂが設けられ、ケース本体３８の上部前端には負圧室３８ｂに連通する吸込口３８ｃが設けられている。この吸込口３８ｃは接続パイプ部６に連通している。また、ケース本体３８の後端部内には負圧室３８ｂの後端部であるフィルタ取付用の後部開口３８ｄが形成されている。
【００２２】
また、集塵室３８ａは図２に示したように後壁１００を有する。この後壁１００は、図２Ａに示したように上下に延びる下後壁部１０１と、下後壁部１０１から前側に傾斜する上傾斜壁部１０２を有する。この上傾斜壁部１０２には開口１０３が形成され、開口１０３にはネットフィルタ１０４が取り付けられている。
【００２３】
更に、集塵容器３７は、ケース本体３８と一体の把手３９と、集塵室３８ａの下方への開口端を開閉する底蓋４０と、負圧室３８ｂ内に配設された塵埃分離手段４１を塵埃分離部として有する。
【００２４】
この底蓋４０は、後端部を中心に開閉可能にケース本体３８に取り付けられている。また、底蓋４０の後端部４０ａは図２，図２Ａに示したように下後壁部１０１より後方に突出していて、この後端部４０ａには上方に開放し且つ左右に延びる細塵捕集溝４０ｂが細塵室として形成されている。尚、底蓋４０は、前端部を中心に開閉可能にケース本体３８に取り付けることもできる。この場合には、細塵捕集溝４０ｂに捕集した塵埃を捨てやすくなる。尚、この底蓋４０の開閉機構にも従来周知の構成を採用できる。
【００２５】
また、下後壁部１０１の後方には、図２に示したようにケース本体３８と一体に設けられていて、後部開口３８ｄを形成する下支持壁１０５が設けられている。この下支持壁１０５は、図２Ａに示したように左右・上下に延びる縦壁部１０５ａと、縦壁部１０５ａの上端から後方に延びる支持壁部１０５ｂから断面逆が略Ｌ字状に形成されている。
【００２６】
しかも、下支持壁１０５は、図２Ｄに示したように下後壁部１０１と縦壁部１０５ａを連設する側壁１０５ｃ，１０５ｄ及び仕切壁１０５ｅを有する。そして、側壁１０５ｃ，１０５ｄと仕切壁１０５ｅとの間には、上下に開口する細塵取入口１０６，１０７が形成されている。
【００２７】
また、細塵取入口１０６，１０７の下端開口は、図２Ａに示したように集塵室３８ａの下端開口が蓋体４０で閉成されたときに、図２Ｂに示したように細塵取入口１０６，１０７の下端開口が細塵捕集溝（細塵室）４０ｂに臨んだ状態で、蓋体４０の後端部４０ａで閉成されるようになっている。
【００２８】
この細塵取入口１０６，１０７内には図２Ｂ，図２Ｄに示したように開閉部材１０８，１０９が配設されている。この開閉部材１０８は図２Ｄに示したように下後壁部１０１と縦壁部１０５ａに同軸の支持軸１０８ａ，１０８ｂを介して回動自在に保持され、開閉部材１０９は下後壁部１０１と縦壁部１０５ａに同軸の支持軸１０９ａ，１０９ｂを介して回動自在に保持されている。
【００２９】
尚、図２Ｄに示したように、支持軸１０８ａ，１０８ｂは開閉部材１０８の一端部ａ１側に偏った位置に設けられ、支持軸１０９ａ，１０９ｂは開閉部材１０９の一端部ｂ１側に偏った位置に設けられている。
【００３０】
従って、開閉部材１０８は、支持軸１０８ａ，１０８ｂから一端部ａ１までの長さが、支持軸１０８ａ，１０８ｂから他端部ａ２までの長さよりも短く形成されている。同様に、開閉部材１０９は、支持軸１０９ａ，１０９ｂから一端部ｂ１までの長さが、支持軸１０９ａ，１０９ｂから他端部ｂ２までの長さよりも短く形成されている。
【００３１】
また、側壁１０５ｃ及び仕切壁１０５ｅには図２Ｂに示したように細塵取入口１０６，１０７内に突出する第１のストッパ突部１１０，１１１がそれぞれ形成されている。しかも、開閉部材１０８，１０９の一端部ａ１，ｂ１と下後壁部１０１の上部との間にはコイルスプリング１１２，１１３が介装されている。このコイルスプリング１１２，１１３は、開閉部材１０８，１０９の他端部ａ２，ｂ２がストッパ突部１１０，１１１に上方から当接する方向に、開閉部材１０８，１０９を回動付勢している。
【００３２】
更に、下後壁部１０１の後面には、図２Ｂに示したように開閉部材１０８，１０９の回動中心（支持軸１０８ａ，１０９ａ）よりそれぞれ上方に位置させた第２のストッパ突部１１４，１１５が形成されている。
【００３３】
また、支持軸１０８ｂ，１０９ｂの外端部には図２Ｃ，図２Ｄに示したようにマグネット１１６，１１７がそれぞれ取り付けられている。
【００３４】
また、塵埃分離手段４１は、後方に向けて円錐状に縮径し且つ負圧室３８ｂへの開口４２ａを有する筒部４２と、筒部４２の内面に固着されて開口４２ａを覆っているネットフィルタ４３と、筒部４２の後端に連設されて集塵室３８ａに連通する筒部４４を有する。
【００３５】
更に、負圧室３８ｂの後端部内には、図６に示したような波形状のプリーツフィルタ４８が着脱可能に嵌着されている。
（振動付与手段）
このプリーツフィルタ４８の後方（エア流の下流側）には、図２に示したようにプリーツフィルタ４８に付着した塵埃を落とすための除塵手段（塵落とし手段）としての振動付与手段４９が配設されている（図９，図１０，図１２，図１３参照）。この振動付与手段４９は、格子板１３とプリーツフィルタ４８との間に配設した大径のギヤ５０を有する。
【００３６】
このギヤ５０は、格子板１３に支持軸５１ａで回転自在に支持されたボス５１と、ボス５１と一体に且つ放射状に設けられた複数のアーム５２と、複数のアーム５２と一体に設けられた環状ギヤ部５３と、ボス５１と環状ギヤ部５３との間の中間に位置してアーム５２と一体に設けられた環状支持部５４と、アーム５２と環状支持部５４の交差部に図８の如く突設された突起５５を有する。
【００３７】
また、振動付与手段４９は、図８に示したように突起５５の外周面に基端部が圧入嵌着されたコイルスプリング５６と、コイルスプリング５６の自由端部に嵌着された係合子５７を有する（図２，図７，図９,図１０，図１２，図１３参照）。この係合子５７は、先端に向かうに従って徐々に縮径するテーパ状に形成され、先端部が球状に形成されている。また、係合子５７は、プリーツフィルタ４８の波形部の山部４８ａ，４８ａ間に浅く係合している。
（回転力伝達手段５８）
更に、ギヤ５０は、図３に示したように回転力伝達手段（動力伝達手段）５８でコードリール２５に連動している。この回転力伝達手段５８は、格子板１３の筒部１３ａ及び軸挿通孔１３ｂを貫通して一端部が前記集塵室側の風路に突出し且つ他端部が送風機室１１（電動送風機１７側）に突出する回転軸５９（図１０，図１３参照）と、回転軸５９の一端部に固定され且つギヤ５０の環状ギヤ部５３に噛合するピニオン（連動手段である小径のギヤ）６０と、回転軸５９の他端部に回転可能に保持され且つ軸線方向に移動不能保持された駆動回転体としてのピニオン（小径のギヤ）６１を有する。このピニオン６１は、コードリール２５の駆動ギヤ２９に噛合して、コードリール２５に連動するようになっている。図３，図４において、５９ａは、回転軸５９の周面に形成された軸線と平行な方向に延びるガイド凸部である。尚、ピニオン６０は、軸挿通孔１３ｂに嵌合するボス６０ａを有する（図３，図５参照）。
【００３８】
また、回転力伝達手段５８は、ピニオン６０と格子板１３との間に位置させて回転軸５９のガイド凸部５９ａが設けられた部分に嵌合された筒状の従動回転体６２を有する。これにより、従動回転体６２は、軸線方向に移動可能に且つ相対回転不能に回転軸５９に保持されている。更に、回転力伝達手段５８は、ピニオン６１と従動回転体６２の対向部に設けられたワンウエイクラッチ６３を有する。このワンウエイクラッチ６３は、ピニオン６１に設けられたラチェット爪６４と、従動回転体６２に設けられ且つラチェット爪６４に係合するラチェット爪６５と、ラチェット爪６５をラチェット爪６４に押し付けているコイルスプリング６６を備えている。
【００３９】
しかも、このワンウエイクラッチ６３は、電源コード３０を引き出す方向にコードリール２５を回転させるとき、コイルスプリング６６のバネ力に抗して従動回転体６２がピニオン６１から離反する方向に回転軸５９上を移動させられて、ラチェット爪６４がラチェット爪６５を乗り越えることにより、ラチェット爪６４，６５同士が相対回転するようになっている。また、ワンウエイクラッチ６３は、コードリール２５が電源コード３０を巻き取る方向に回転する際、ラチェット爪６４，６５同士が互いに係止されてピニオン６１と従動回転体６２が一体に回転する様になっている。
【００４０】
更に、回転力伝達手段５８は、回転軸５９の外周に嵌合され且つ格子板１３に当接させられて軸挿通孔１３ｂと回転軸５９との間をシールしている環状シール部材６７を有する。この環状シール部材６７と従動回転体６２との間には上述したコイルスプリング６６が介装されていて、このコイルスプリング６６は環状シール部材６７を格子板１３に押し付けていると共に、従動回転体６２のラチェット爪６５をピニオン６１のラチェット爪６４に押し付けている。この際、環状シール部材６７は、軸挿通孔１３ｂとピニオン６０のボス部６０ａとの間に跨って押し付けられることにより、回転軸５９と軸挿通孔１３ｂとの間を間接的にシールしている。
（開閉部材開閉手段）
上述した開閉部材１０８，１０９は、図２Ｃ，図２Ｄに示したように開閉部材開閉手段１９０により開閉して、細塵捕集溝４０ｂの上部開口端を開閉するようになっている。この開閉部材開閉手段１９０は、上述した回転力伝達手段（動力伝達手段）５８と、この回転力伝達手段５８に連動する第２の回転力伝達手段（動力伝達手段）１９１を有する。
【００４１】
この第２の回転力伝達手段１９１は、格子板１３及び中ケース３に保持されたギヤ２００，２０１や、クラッチ機構（スリップ機構）ＣＬ１，ＣＬ２等を備えている。以下、この構造について説明する。
【００４２】
上ケース４の格子板１３の下部には、中ケース３に設けられた縦壁３ｂ１の上部に対応して後方に膨出する筒状の膨出突部１３ｃ，１３ｄが形成されている。この膨出突部１３ｃ，１３ｄ内には前方に開口する凹部１３ｃ１，１３ｄ１が形成されている。
【００４３】
更に、縦壁３ｂ１の上部と格子板１３の下部との間の空間Ｓ内（図２参照）には、ピニオン６０に噛合する一対のギヤ２００，２０１が配設されている。このギヤ２００，２０１は、縦壁３ｂ１の上部と膨出突部１３ｃ，１３ｄの後端壁１３ｃ２，１３ｄ２に回転軸２００ａ，２０１ａを介して回転自在に保持されている。
【００４４】
この回転軸２００ａ，２０１ａの前端には凹部１３ｃ１，１３ｄ１内に配設された円形のマグネット２００ｂ，２０１ｂが取り付けられている。この回転軸２００ａ，２０１ａは、前後に僅かに移動可能に設けられている。また、ギヤ２００，２０１が膨出突部１３ｃ，１３ｄの後端壁１３ｃ２，１３ｄ２に当接したとき、マグネット２００ｂ，２０１ｂの前端が凹部１３ｃ１，１３ｄ１の前端から僅かに突出するようになっている。
【００４５】
また、回転軸２００ａ，２０１ａはコイルスプリング２０２，２０３により後方にバネ付勢されている。このコイルスプリング２０２，２０３は、通常、マグネット２００ｂ，２０１ｂが膨出突部１３ｃ，１３ｄの後端壁１３ｃ２，１３ｄ２に当接するまで回転軸２００ａ，２０１ａを後方に移動させて、マグネット２００ｂ，２０１ｂを凹部１３ｃ１，１３ｄ１内に没入させている。
【００４６】
そして、マグネット１１６，２００ｂはクラッチ機構（スリップ機構）ＣＬ１を構成し、マグネット１１７，２０１ｂはクラッチ機構（スリップ機構）ＣＬ２を構成している。
【００４７】
しかも、コイルスプリング１１２，１１３のバネ力をｆ１とし、コードリール２５のコード巻取力をｆ３とすると、コードリール２５のコード巻取力ｆ３はバネ力ｆ１よりも充分大きく設定されている。
[作用]
次に、この様な構成の電気掃除機の作用を説明する。
【００４８】
この様な構成においては、ブレーキアーム３２（図１１〜図１３参照）を回動付勢しているスプリングのバネ力とコードリール２５を回転付勢している回転付勢手段のバネ力とにより、ブレーキローラがブレーキアーム３２と上フランジ２７との間に楔状に食い込むことで、コードリール２５の回転がロックされている。
【００４９】
また、電源コード３０を掴んで引っ張ることにより、下ケース２から後方に引き出し可能に設けられた電源コード３０を引いて、コードリール２５をその回動付勢手段のバネ力に抗して回転させることにより、ブレーキローラ（図示せず）がコードリール２５の回転方向に僅かに移動させられて、ブレーキローラがブレーキアーム３２と上フランジ２７との間に楔状に食い込んだ状態が解除され、ブレーキローラの上フランジ２７への圧接状態が解除される。
【００５０】
この状態で更に電源コード３０を引っ張ることにより、電源コード３０を引き出す方向にコードリール２５を回転させると、この回転に伴い駆動ギヤ２９がピニオン６１を回転させる。この回転に伴い、ピニオン６１のラチェット爪６４が従動回転体６２のラチェット爪６５を乗り越えるように作用して、従動回転体６２がコイルスプリング６６（図３参照）のバネ力に抗してピニオン６１から離反する方向に回転軸５９上を移動させられ、ラチェット爪６４，６５同士が相対回転する。
【００５１】
これにより、電源コード３０の引き出しに際しては、電源コード３０を巻き取る方向にコードリール２５を回転付勢している渦巻バネ等の回転付勢手段によるバネ力のみが抗力として電源コード３０に作用している状態となる。従って、電源コード３０の引き出し操作は軽い力で行うことができる。
【００５２】
この様にして電源コード３０をある程度引き出した後、電源コード３０から引き出し力を解除すると、コードリール２５が回転付勢手段により電源コード３０を巻き取る方向に僅かに回転して、ブレーキローラがブレーキアーム３２と上フランジ２７との間に楔状に食い込んでロックし、コードリール２５の回転を停止させ、電源コード３０を引き出した状態にする。この電源コード３０のプラグ３０ａを図示しない商用電源のコンセントに差し込むことで、電動送風機１７に駆動電力を供給可能な状態となる。
【００５３】
この状態で、手元操作パイプ８の操作パネル８ａを操作して、電動送風機１７を駆動させると、電動送風機１７の吸込負圧が負圧室２１，連通風路１６ａ，ギヤ５０のアーム５２間及びプリーツフィルタ４８を介して負圧室３８ｂに作用する。
この際、底蓋４０の細塵捕集溝４０ｂの上端は開閉部材１０８，１０９により閉成されているので、細塵捕集溝４０ｂに捕集された細塵がプリーツフィルタ４８側に吸い込まれて、プリーツフィルタ４８を目詰まりさせることが未然に防止される。
【００５４】
また、この負圧室３８ｂに作用する吸込負圧は、ネットフィルタ４３を介して吸込口３８ｃに作用すると共に、ネットフィルタ１０４，集塵室３８ａを介して吸込口３８ｃに作用する。この吸込口３８ｃに作用する吸込負圧は、集塵ホース７，手元操作パイプ８及び延長パイプ９を介して吸込口体１０に作用する。
【００５５】
これにより、吸込口体１０に塵埃を含むエア（空気）が吸い込まれて、この吸い込まれたエア及び塵埃は、延長パイプ９，手元操作パイプ８及び集塵ホース７を介して吸込口３８ｃに吸い込まれた後、筒部４２内に流入する。
【００５６】
この吸い込まれるエアの一部はネットフィルタ４３を透過して負圧室３８ｂに流入する。この際、エアに含まれる軽い塵埃はネットフィルタ４３に捕捉される。一方、筒部４２内に流入するエアに含まれる塵埃は、大半が慣性力により残りのエアと共に直進した後、筒部４４を介して集塵室３８ａ内に流下させられる。そして、集塵室内３８ａ内に流入したエアは、旋回流となり集塵室３８ａに流入する塵埃を遠心力（慣性力）により分離すると共に集塵室３８ａの底部側に圧縮させる。この塵埃を圧縮したエアは、ネットフィルタ１０４を透過して負圧室３８ｂ内に流入する。
【００５７】
この様な状態で、ネットフィルタ４３にある程度の塵埃が捕捉され、ネットフィルタ４３を透過して負圧室３８ｂ内に流入するエアの量が減少すると、筒部４４を介して集塵室３８ａ内に流入するエアの量が増大する。このエアの流れは、ネットフィルタ４３に付着してある程度塊となった塵埃をネットフィルタ４３から剥離し、ネットフィルタ４３の目詰まり状態を解消する。この剥離された塵埃は集塵室３８ａ内に捕集される。
【００５８】
この負圧室３８ｂ内に流入したエアは、プリーツフィルタ４８をギヤ５０側に透過した後，ギヤ５０のアーム５２間，連通風路１６ａ及び負圧室２１を介して電動送風機１７の遠心ファン部１８に設けたエア吸込口１８ａに吸い込まれる。このエアがプリーツフィルタ４８を透過する際、プリーツフィルタ４８には微細な塵埃及びこれより大きい塵埃が捕捉されることになる。そして、遠心ファン部１８に吸い込まれたエアは、モータ部１９内を流れて内部を冷却し、排気口１９ａから送風機室１１内に排気され、上ケース３の側壁３ａに設けた多数の排気孔１４から掃除機本体１外の大気に排気される。
【００５９】
この様にして清掃が終了後は、操作パネル８ａを操作して電動送風機１７を停止させると共に、電源コード３０を図示しないコンセントから取り外して、ハンドル３３を下方に押し下げると、ハンドル３３に設けた傾斜カム面３５ａがブレーキアーム３２を支持軸２３ａを中心にスプリング（図示せず）のバネ力に抗して格子壁１３側に回動させて、図示しないブレーキローラを上フランジ２７から離反させ、コードリール２５のロック状態を解除する。
【００６０】
これにより、コードリール２５は、回動付勢手段により電源コード３０を巻き取る方向（図１１では矢印２５ａで示した反時計回り方向）に回転させられ、電源コード３０をコードリール２５に捲回する。この際、ラチェット爪６４，６５同士が互いに係止されてピニオン６１と従動回転体６２が一体に回転する。この従動回転体６２の回転は、回転軸５９を介してピニオン６０に伝達され、ピニオン６０が図２Ｂに矢印２０４で示したように時計回り方向（図２Ｃ及び図１０では反時計回り方向）に回転させられる。
【００６１】
このピニオン６０の回転に伴い、ピニオン６０に噛合するギヤ２００が回転軸２００ａと一体に図２Ｃの矢印２０５で示したように時計回り方向に回転し、ピニオン６０に噛合するギヤ２０１が回転軸２０１ａと一体に図２Ｃの矢印２０６で示したように時計回り方向に回転する。
【００６２】
この回転軸２００ａの回転はマグネット１１６，２００ｂを介して支持軸１０８ｂに伝達され、回転軸２０１ａの回転はマグネット１１７，２０１ｂを介して支持軸１０９ｂに伝達される。
【００６３】
これに伴い、開閉部材１０８が破線の位置から図２Ｂ中支持軸１０８ａ，１０８ｂを中心に反時計回り方向に実線の位置まで回動して起立させられ、開閉部材１０９が破線の位置から図２Ｂ中支持軸１０９ａ，１０９ｂを中心に反時計回り方向に実線の位置まで回動して起立させられる。
【００６４】
この開閉部材１０８，１０９の起立動作はコイルスプリング１１２，１１３のバネ力に抗して行われる。また、この開閉部材１０８，１０９の起立動作は、コードリール２５による電源コード３０の巻取動作の開始初期に行われる。
【００６５】
しかも、開閉部材１０８，１０９は、実線の位置まで起立させられると、ストッパ突部１１４，１１５にそれぞれ当接して、回動が停止する。これにより、開閉部材１０８，１０９により蓋体４０の細塵捕集溝４０ｂの上端が開かれる。
【００６６】
そして、開閉部材１０８，１０９がストッパ突部１１４，１１５に当接した後は、マグネット１１６，２００ｂがスリップして開閉部材１０８の起立状態が維持されると共に、マグネット１１７，２０１ｂがスリップして開閉部材１０９の起立状態が維持される。
【００６７】
一方、従動回転体６２の回転は、回転軸５９，ピニオン６０を介してギヤ５３に伝達され、ギヤ５３が支持軸５１ａを中心に回転させられる。このギヤ５３の回転に伴い、係合子５７がコイルスプリング５６を撓めるようにしてプリーツフィルタ４８の山部４８ａを乗り越えながら移動し、プリーツフィルタ４８に振動が発生させられる。この振動により、プリーツフィルタ４８の前面側に捕捉され付着した塵埃は、叩き落とされて下方に落下し、上方に開放する蓋体４０の細塵捕集溝（細塵室）４０ｂ内に捕集される。
【００６８】
そして、コードリール２５への電源コード３０の巻取が終了すると、コードリール２５の回転が停止する。この後、中ケース３の前端部に上下回動可能に取り付けられたカバー５を上方に開いて、集塵容器３７を凹部３６から取り出す。
【００６９】
この取り出しに際して、集塵容器３７側のマグネット１１６，１１７は掃除機本体１側のマグネット２００ｂ，２０１ｂに対してスライドするように上方に移動する。この際、マグネット１１６，１１７が掃除機本体１側のマグネット２００ｂ，２０１ｂから離反すると、掃除機本体１側のマグネット２００ｂ，２０１ｂは凹部１３ｃ１，１３ｄ１内にコイルスプリング２０２，２０３のバネ力で没入する。
【００７０】
そして、凹部３６から取り出した集塵容器３７の底蓋４０を開くことにより、集塵室３８ａ内に捕集された塵埃を下方に捨てることができると共に、底蓋４０の細塵捕集溝４０ｂ内に捕集した塵埃も下方に捨てることができる。
【００７１】
このようにして塵埃を捨てた後、底蓋４０を閉じて、集塵容器３７を凹部３６内に配設し、集塵容器３７側のマグネット１１６，１１７を掃除機本体１側のマグネット２００ｂ，２０１ｂに対向させると、掃除機本体１側のマグネット２００ｂ，２０１ｂがコイルスプリング２０２，２０３のバネ力に抗して集塵容器３７側のマグネット１１６，１１７に磁力で吸引されて吸着する。
【００７２】
尚、図２Ｃ，図２Ｄでは、集塵容器３７側のマグネット１１６，１１７の径と掃除機本体１側のマグネット２００ｂ，２０１ｂの径が同じに形成されているが、集塵容器３７側のマグネット１１６，１１７の径を掃除機本体１側のマグネット２００ｂ，２０１ｂよりも大きくすると共に、集塵容器３７側のマグネット１１６，１１７の径を凹部１３ｃ１，１３ｄ１の径よりも大きく形成して良い。
【００７３】
また、コードリール２５のコード巻取力ｆ３は、コイルスプリング１１２，１１３のバネ力ｆ１や、係合子５７がコイルスプリング５６を撓めるようにしてプリーツフィルタ４８の山部４８ａを乗り越えて回動する回動力ｆ２よりも充分大きい。したがって、電源コード３０の巻取終了に伴うコードリール２５の回転停止時には、開閉部材１０８，１０９が起立した状態となっている。
【００７４】
しかし、電気掃除機を使用する際には、電源コード３０をコードリール２５から引き出す必要がある。このため、電源コード３０をコードリール２５の巻取付勢力に抗して引き出す操作をすると、駆動ギヤ２９び及びコードリール２５が図１１中時計回り方向に回転させられ、ピニオン６１が駆動ギヤ２９により図１０に矢印６１ａで示したように時計回り方向に回動させられる。この際、ラチェット６４は、ピニオン６１と一体に図１０中時計回り方向に回転させられ、ラチェット６５を乗り越える方向に回転させられる。
【００７５】
この結果、ラチェット６５はラチェット６４の回転方向に追従回転可能な状態となって、従動体６２，回転軸５９，ピニオン６０もラチェット６５と一体に図１０中時計回り方向に回転できる状態となる。
【００７６】
従って、電源コード３０をコードリール２５から引き出す際には、開閉部材１０８，１０９がコイルスプリング１１２，１１３のバネ力により図２Ｂ中時計回り方向に回動させられる。
【００７７】
この際、支持軸１０８ｂの回転はマグネット１１６，２００ｂを介して回転軸２００ａに伝達され、支持軸１０９ｂの回転はマグネット１１７，２０１ｂを介して回転軸２０１ａに伝達される。この回転軸２００ａ，２０１ａの回転によりギヤ２０５，２０６が図２Ｂ中時計回り方向（図２Ｃでは反時計回り方向）に回動させられて、ギヤ２０５，２０６に噛合するピニオン６０が図２Ｂ中反時計回り方向（図２Ｃでは時計回り方向）に回動させられ、ラチェット６５がラチェット６４に追従回転する。
【００７８】
また、このピニオン６０の回転はギヤ５３に伝達され、ギヤ５３が支持軸５１ａを中心に回転させられる。このギヤ５３の回転に伴い、係合子５７がコイルスプリング５６を撓めるようにしてプリーツフィルタ４８の山部４８ａを乗り越えながら移動する。
【００７９】
この回転に伴い、開閉部材１０８，１０９は、図２Ｂ中時計回り方向に更に回動させられて、ストッパ突部１１０，１１１にそれぞれ当接させられ、細塵捕集溝４０ｂの開放端を閉成する。このような開閉部材１０８，１０９の閉じる動作は、コードリール２５から電源コード３０を引き出す初期にのみ行われる。
【００８０】
そして、開閉部材１０８，１０９がストッパ突部１１０，１１１に当接後は、ピニオン６０が回転しないので、ラチェット６４がラチェット６５を乗り越えるように回転する。
【００８１】
この後、電源コード３０のプラグ３０ａを図示しない商用電源のコンセントに差し込んで、手元操作パイプ８の操作パネル８ａを操作し、電動送風機１７を駆動させると、電動送風機１７の吸込負圧が負圧室２１，連通風路１６ａ，ギヤ５０のアーム５２間及びプリーツフィルタ４８を介して負圧室３８ｂに作用する。
【００８２】
しかし、この際、底蓋４０の細塵捕集溝４０ｂの上端は開閉部材１０８，１０９により閉成されているので、細塵捕集溝４０ｂに捕集された細塵がプリーツフィルタ４８側に吸い込まれて、プリーツフィルタ４８を目詰まりさせることが未然に防止される。
【００８３】
このように、塵落としをしているとき以外であって、電動送風機１７の駆動時には、開閉部材１０８，１０９が実質的に閉じている。
【００８４】
以上説明したように、この発明の実施の形態の電気掃除機は、集塵部（集塵容器３７）及び該集塵部（集塵容器３７）に吸込負圧を作用させる電動送風機１７が設けられた掃除機本体１と、前記集塵部（集塵容器３７）の上流側に配設されて塵埃を捕集するメインフィルタ（ネットフィルタ４３，１０４）と、前記集塵部（集塵容器３７）の下流側に配設されて前記メインフィルタ（ネットフィルタ４３，１０４）を透過した細塵を捕捉させる細塵フィルタ（プリーツフィルタ４８）と、前記細塵フィルタ（プリーツフィルタ４８）に付着した塵埃を落とす塵埃落とし手段（振動付与手段４９）と、上方に開口して前記細塵フィルタ（プリーツフィルタ４８）から落とされる細塵を貯留する細塵室（細塵捕集溝４０ｂ）と、前記細塵室（細塵捕集溝４０ｂ）の上部開口端を開閉する開閉部材（１０８，１０９）を備えている。しかも、この電気掃除機には、前記塵落とし手段（振動付与手段４９）を作動させるときには前記開閉部材（１０８，１０９）を開いて前記細塵室（細塵捕集溝４０ｂ）の上部開口端を開放し、且つ、前記電動送風機１７が作動するときには前記開閉部材（１０８，１０９）を閉じて前記細塵室（細塵捕集溝４０ｂ）の上部開口端を閉成させる開閉部材開閉手段１９０が設けられている。
【００８５】
この構成によれば、開閉部材開閉手段１９０は電動送風機１７が作動するときには前記開閉部材（１０８，１０９）を閉じて前記細塵室（細塵捕集溝４０ｂ）の上部開口端を閉成させるようになっているので、細塵室（細塵捕集溝４０ｂ）に貯留された細塵が電動送風機１７の作動時に巻き上げられて細塵フィルタ（プリーツフィルタ４８）に再度付着するようなことを防止できる。
【００８６】
また、この発明の実施の形態の電気掃除機には、電源コード３０が捲回されたコードリール２５の回転に前記塵落とし手段（振動付与手段４９）を連動させて作動させる動力伝達手段（回転力伝達手段５８）が設けられ、前記開閉部材（１０８，１０９）を前記細塵室（細塵捕集溝４０ｂ）の開位置と閉位置に停止させるストッパ[１１０，１１１（閉位置用）、１１４，１１５（開位置用）]がそれぞれ設けられている。また、前記開閉部材開閉手段１９０は、前記コードリール２５の回転に連動し、且つ、前記開閉部材（１０８，１０９）がストッパ[１１０，１１１、又は１１４，１１５]に当接した後に当接方向へ所定値以上の力が作用したときにスリップするクラッチ機構（ＣＬ１，ＣＬ２）を有する。
【００８７】
この構成によれば、コードリール２５の回転により開閉部材（１０８，１０９）を開閉できると共に、開閉部材（１０８，１０９）がストッパ[１１０，１１１、又は１１４，１１５]に当接して細塵室（細塵捕集溝４０ｂ）を開又は閉じた後、開閉部材（１０８，１０９）からストッパ[１１０，１１１、又は１１４，１１５]へ当接方向へ所定値以上の力が作用したとき、クラッチ機構（ＣＬ１，ＣＬ２）がスリップするので、開閉部材（１０８，１０９）がストッパ[１１０，１１１、又は１１４，１１５]へ当接した後に、コードリール２５が回転しても、開閉部材（１０８，１０９）を開位置又は閉位置に無理なく保持できる。
【００８８】
更に、以上説明した実施例では、コードリール２５に開閉部材１０８，１０９を連動させて、開閉部材１０８，１０９により細塵捕集溝４０ｂの開閉を行うようにした例を示したが、必ずしもこれに限定されるものではない。
【００８９】
例えば、支持軸１０８ａ，１０９ａを駆動モータ又はソレノイド等のアクチュエータ（回動駆動手段）で回動駆動できるようにして、このアクチュエータにより支持軸１０８ａ，１０９ａを回動駆動させることにより、開閉部材１０８，１０９を支持軸１０８ａ，１０９ａと一体に回動させ、開閉部材１０８，１０９により細塵捕集溝４０ｂの開閉を行うようにしても良い。
【００９０】
この場合には、掃除機本体内に図示しないバッテリを設け、手動の開閉部材開スイッチ及び開閉部材閉スイッチを設けると共に、開閉部材開スイッチ又は開閉部材閉スイッチをＯＮ操作することでアクチュエータにバッテリからの電力を供給して、開閉部材１０８，１０９の開閉操作をするようにできる。
【００９１】
また、電源コード３０のコードリール２５への巻取開始を検出するセンサを設けると共に、このセンサからの出力によりアクチュエータで開閉部材１０８，１０９を開いた後、所定時間（例えば、５〜１０秒）経過後にアクチュエータにより開閉部材１０８，１０９を閉じさせる制御回路を設けた構成とすることもできる。
【図面の簡単な説明】
【００９２】
【図１】（ａ）はこの発明に係る電気掃除機の概略斜視図、（ｂ）は（ａ）の掃除機本体の集塵容器及びカバーを取り外した状態の拡大斜視図である。
【図２】図１（ａ）の掃除機本体の断面図である。
【図２Ａ】図２の要部拡大説明図である。
【図２Ｂ】図２Ａの一部を省略した状態で、開閉部材を後方（図２Ａでは右側）から見た説明図である。
【図２Ｃ】図２Ｂの開閉部材を開閉させる開閉部材開閉手段の部分斜視図である。
【図２Ｄ】図２ＡのＢ１−Ｂ１線に沿う断面図である。
【図２Ｅ】図２Ｄの一部を省略して集塵容器の後側下部を斜め上から見た要部斜視図である。
【図３】図２の回転力伝達手段の拡大説明図である。
【図４】図３のＡ１−Ａ１線に沿う断面図である。
【図５】図３のＡ２−Ａ２線に沿う断面図である。
【図６】図２のプリーツフィルタの斜視図である。
【図７】図２のプリーツフィルタと振動付与手段（除塵手段）の係合子との関係を示す部分拡大斜視図である。
【図８】図２のプリーツフィルタと振動付与手段の係合子との関係を示す部分拡大断面図である。
【図９】図２のプリーツフィルタへの振動付与手段を斜め前側から見た斜視図である。
【図１０】図２の振動付与手段とコードリールの関係を示す斜視図である。
【図１１】図１０の振動付与手段とコードリールの関係を後側から見た斜視図である。
【図１２】図１０の振動付与手段とコードリールの関係を斜め後側から見た斜視図である。
【図１３】図１０の振動付与手段とコードリール等の分解斜視図である。
【符号の説明】
【００９３】
１…電気掃除機
１７…電動送風機
２５…コードリール
３７…集塵容器（集塵部）
４０ｂ…細塵捕集溝（細塵室）
４３…ネットフィルタ（メインフィルタ）
４８…プリーツフィルタ（細塵フィルタ）
４９…振動付与手段（塵埃落とし手段）
１０４…ネットフィルタ（メインフィルタ）
１０８，１０９…開閉部材
１１０，１１１…ストッパ（閉位置用）
１１４，１１５…ストッパ（開位置用）
１９０…開閉部材開閉手段
ＣＬ１，ＣＬ２…クラッチ機構
【図１】
2006006383.tif 000003
【図２】
2006006383.tif 000004
【図２Ａ】
2006006383.tif 000005
【図２Ｂ】
2006006383.tif 000006
【図２Ｃ】
2006006383.tif 000007
【図２Ｄ】
2006006383.tif 000008
【図２Ｅ】
2006006383.tif 000009
【図３】
2006006383.tif 000010
【図４】
2006006383.tif 000011
【図５】
2006006383.tif 000012
【図６】
2006006383.tif 000013
【図７】
2006006383.tif 000014
【図８】
2006006383.tif 000015
【図９】
2006006383.tif 000016
【図１０】
2006006383.tif 000017
【図１１】
2006006383.tif 000018
【図１２】
2006006383.tif 000019
【図１３】
2006006383.tif 000020